(57)【要約】      （修正有）【課題】ゴルフのシャロープレーンスイングではトップから切り返しの間にゴルフクラブを背中側に倒す動作が必要であるが、この動作を音でチェックできる機能を持たせ、軽量・コンパクトで安価な練習器具を提供する。【解決手段】シャロープレーンスイング練習器具は、大部分にゴム系素材や木材、プラスチック等軽量材料を使用し、ゴルフクラブに装着するホルダー１上の台座２にゴルフクラブシャフトの倒れ角度をチェックする角度表示器３と、また台座２に固定した支持板４にシャフトの倒れが一定域を超えると内包する硬質ボールが動いて衝突音が出る透明・長円筒状の音筒５を取り付けてゴルフクラブが振れるようにし、音筒５はネジと蝶ナットにより角度の調整ができ、軽量・コンパクト・安価で音の効果で飽きが来にくい練習器具となっている。【選択図】図１
0003228037.tif 000002
【実用新案登録請求の範囲】
【請求項１】
ゴルフクラブに装着し、バックスイングのトップから切り返し付近のゴルフクラブシャフトの倒れを確認できる角度表示器とシャフトの倒れが一定域を超えると音が出る音筒を持ち、それを支持するホルダー、台座及び支持板などにより構成するシャロープレーンスイングのシャフトの倒し動作を練習するための器具
【請求項２】
ホルダーは短い円筒形の水ホース状の材料を長手方向に切り開いた形状をしており、それを拡げてゴルフクラブに装着し、ズレ止めとしてワンタッチクランプで保持し、ホルダーには台座が固定されているシャロープレーンスイングのためのシャフトの倒し動作を練習するための器具
【請求項３】
ホルダー上の台座に取り付けられた支持板に、透明・長円筒形状で角度調整が可能な音筒がネジと蝶ナットで取り付けられ、音筒の内部には硬質のボールが２個入っており、シャフトの倒れが一定域を超えるとボールが動いて音筒の先端面に当たり衝突音が出るようになっているシャロープレーンスイングのためのシャフトの倒し動作を練習するための器具
【請求項４】
ホルダー上の台座に分度器状の角度表示板と指針のついた角度表示器が取り付けられ、バックスイングのトップから切り返し付近のゴルフクラブシャフトの倒れを確認できるようになっているシャロープレーンスイングのためのシャフトの倒し動作を練習するための器具
【考案の詳細な説明】
【技術分野】
【０００１】  本考案は、ゴルフのシャロープレーンスイングにおけるシャフトの倒し動作が安定してできるようにするための練習器具に関するものである。
【背景技術】
【０００２】  スイングプレーンが１枚のオーソドックスなスイングに対し、最近のスイング理論では、バックスイングプレーンの傾斜に対しダウンスイングプレーンがかなり浅め（シャロー）の傾斜になった、プレーンが２枚あるスイング（以下シャロープレーンスイングと呼ぶ）が注目を集めている。このやり方ではバックスイングのトップから切り返しの間でゴルフクラブのシャフトを背中側に倒す必要があるが、この動作は練習量の少ないアマチュアゴルファーにとってはかなり習得が難しい技術である。
しかしながら、これまでのスイングプレーンを練習するための用具は、ゴルファー正面あるいは飛球線後方に１枚のスイングプレーンを想定して傾斜させたポールを設置し、アドレス・インパクト付近あるいはバックスイングの軌道をチェックするもので、最近のシャロープレーンスイングには対応していなかった。
【先行技術文献】
【特許文献】
【０００３】
【特許文献１】特開２００９−０１１７７４  公報
【特許文献２】特開２０１０−０８２４０９  公報
【非特許文献】
【０００４】  ［なし］
【考案の概要】
【考案が解決しようとする課題】
【０００５】  シャロープレーンスイング全般を練習する器具は複雑・高価となるため、バックスイングのトップから切り返しの間でゴルフクラブを倒す動作に焦点を当て、音でチェックできる軽量・コンパクトで安価に製作できる器具とし、自宅居室や練習場でのドリルが手軽にできるようにし、前述の問題点を解決しようとするものである。
【課題を解決するための手段】
【０００６】  本考案は、大部分はゴム系素材、木材、プラスチック等軽量の材料を使用し、短い円筒形の水ホース状の材料を長手方向に切り開いた形状のホルダーと呼ぶ部材を拡げてゴルフクラブに装着しワンタッチクランプにより保持し、ホルダーには台座を固定している。そして台座に取り付けた支持板に、透明・長円筒形状で角度調整が可能な音筒をネジと蝶ナットで取り付け、音筒の内部には硬質のボールが２個入っており、ゴルフクラブシャフトの倒れが一定域を超えるとボールが動いて音筒の先端面に当たり衝突音が出るようになっている。
また、台座には分度器状の角度表示板と指針のついた角度表示器を取り付けバックスイングのトップから切り返し付近のゴルフクラブシャフトの倒れ角度を確認できるようにしている。
【考案の効果】
【０００７】  上述のように、本考案の練習器具はシャロープレーンスイングのシャフトを倒す動作を音でチェックできる機能を有しており、軽量・コンパクト・安価で簡単にゴルフクラブに着脱でき、音の効果で飽きが来にくい練習器具となっており自宅居室や練習場で使用するのに適しており、日常的に使用することにより動作を身に着けるのに役立つ。
【図面の簡単な説明】
【０００８】
【図１】本考案の外観図である
【図２】本考案の側面図である
【図３】本考案を使ったスイング中の音筒とボール位置の状況を示す概念図である
【考案を実施するための形態】
【０００９】  以下にその構造と機能を説明し、続いて実施例にて使用方法を説明する。
図１及び図２に構造を示す。大部分はゴム系素材、木材、プラスチック等軽量の材料を使用している。ホルダー１は短い円筒形の水ホース状の材料を長手方向に切り開いた形状で、台座２はホルダー１の内側からネジで固定されている。
台座２の手前側には角度表示器３、後方側には支持板４が取り付けられており、支持板４には内部に２個の硬質ボール６を入れた長円筒形状の音筒５がネジと蝶ナットで取り付けられており角度調整が可能である。音筒５は硬質ボール６が動いて端面に当たると衝突音が出るとともにボールの動きが見えるよう透明のプラスチック製の筒でできている。
また、角度表示器３はシャフトが倒れた切り返し付近で見やすくなるよう取り付け金具１１により角度の調整を行っている。
ホルダー１は拡げてゴルフクラブ８に装着し、ズレないようワンタッチクランプ７で保持している。
【実施例】
【００１０】  本練習器具を使ったシャロープレーンスイングのイメージを図３に示す。
練習前の準備としてゴルフクラブをクラブヘッドが目の高さ付近に来るように持ち上げ、リーディングエッジのラインが垂直になっている時に角度表示器３の指針１０が約９０度を指すようにホルダー１の位置を調整しワンタッチクランプ７で保持する。
続いて通常どおりのアドレス状態からバックスイングしてトップから切り返しの間でゴルフクラブを自分が目指したいポジションまで倒し、その時のシャフトの倒れ角度を角度表示器３で確認する。ゴルフ書籍などで紹介・推奨されている角度と大幅にずれていないことを確認するものである。
次に自分が目指したいポジションまでシャフトが倒れた時にボール６が動いて音筒５の先端面に当たり音が出るように音筒５の角度を調整すれば練習準備完了である。
練習の際は通常どおりバックスイングしてトップから切り返しの間でシャフトを倒す動作に移るが、その際手に力を入れて倒そうとするとスイング乱れやゴルフクラブの慣性モーメントを阻害する原因になるので、クラブがヘッドの慣性と重みで自然に倒れるのを待ってやり、音筒５から音が出たタイミングで右手でクラブを支え、そのままの流れとリズムでダウンスイングに移行する。この動作を素振りで繰り返し練習することによりシャロープレーンスイングのためのシャフトの倒し動作を身に着ける。【００１１】  本練習器具はシャフトを倒す動作に焦点を当て考案しているが、ダウンスイングの際にも音が出るのでインパクトの少し手前までのスイングプレーンのチェック用としても補助的に活用できる。ボール６はトップから切り返しの間のシャフトの倒し動作によって音筒５の先端面に当たって反対方向に転がるが、続いてダウンスイングが始まり、シャフトが倒れた時の左手甲と右手のひらの向き（斜め上向きの状態）と前傾姿勢をキープしてスイングプレーン上を滑らすようにクラブを振った場合は、ボールは再び音筒の先端方向に動き「カツン」というようなきれいな音が出る。
一方、右手を利かせて手首をターンするように振った場合はきれいな音が出ないので、きれいな音が出るように振る練習をすることによりシャロープレーンスイングのためのダウンスイング動作を身に着ける助けとなる。
【符号の説明】
【００１２】  １  ホルダー
２  台座
３  角度表示器
４  支持板
５  音筒
６  ボール
７  ワンタッチクランプ
８  ゴルフクラブ
９  角度表示板
１０  指針
１１  取り付け金具
１２  バックスイングプレーン
１３  シャフト倒し方向
１４  ダウンスイングプレーン
１５  飛球線
【図１】
0003228037.tif 000003
【図２】
0003228037.tif 000004
【図３】
0003228037.tif 000005